(57)【要約】      （修正有）【課題】シュシュなどの頭部後方に備える装飾具が滑り落ち紛失することを防止する。【解決手段】後ろ手での取り付けが容易で、取り付け後も結合力が十分であるのでそれ自身簡単に外れることが無く、さらにはそれ自身の外観や取り付けによりシュシュなどの装飾具の美観を損ねることが無い装飾具落下防止具を提供する。落下防止具は磁石などを備えた２つの部材２ａ，２ｂを含む結合部と、結合部を連結する金属チェーンなどの連結部とを備える。２つの部材の少なくとも一方は先細り形状に形成されている。【選択図】図４
2016209491.tif 000002
【特許請求の範囲】
【請求項１】
結合部及び連結部を含む頭部に装着する装飾具の落下防止具であって、
前記結合部は、結合可能な２つの部材で構成され、前記２つの部材の少なくとも一方の部材は磁石を含み、他方の部材は前記磁石と吸着結合可能な材料で形成され、且つ、前記２つの部材の少なくとも一方の部材は先細り形状に形成され、
前記連結部は可動性であり、連結部の両端部は前記２つの部材のそれぞれに連結し、
前記落下防止具は、前記先細り形状に形成された部材を、頭髪を束ねるリング状結束具及び頭髪と前記リング状結束具を覆い被るように装着されるリング状装飾具の双方の内側を通過させた後に、前記結合部の他方の部材に磁力により自動的に結合することで、前記リング状装飾具の落下を防止することができる落下防止具。
【請求項２】
前記結合部の２つの部材がそれぞれ平面状の結合面を含み、前記先細り形状に形成され部材の前記結合面には雌型の凹部が形成され、他方の部材の結合面には雌型の凹部に嵌る雄型の凸部が形成されることで、２つの部材を結合する際の結合方向を特定し、且つ横方向へのズレによる脱着を防止することが可能である請求項１に記載の落下防止具。
【請求項３】
前記結合部の先細り形状に形成された部材が錐体で形成され、他方の部材が前記錐体を挿入できる形状の部材である請求項１に記載の落下防止具。
【請求項４】
前記連結部の長さが、５ｃｍ以上、１５ｃｍ以下の範囲である請求項１〜３の何れか一項に記載の落下防止具。
【請求項５】
前記先細り形状に形成された部材の最薄部分が、１ｍｍ以上、３ｍｍ以下である請求項１〜４の何れか一項に記載の落下防止具。
【請求項６】
前記先細り形状に形成された部材と結合する他方の部材の結合面以外の部分に、装飾部材が形成されている請求項１〜５の何れか一項に記載の落下防止具。
【発明の詳細な説明】
【技術分野】
【０００１】  本発明は、毛髪などを束ねる際に用いる髪飾りとして知られているシュシュと呼ばれる装飾具の落下防止具に関する。
【背景技術】
【０００２】  長い髪の毛の女性は、場合によってその後頭部で毛髪を束ねてポニーテール状としたり、頭部横方向に束ねたりすることで、ヘアスタイルのおしゃれを楽しんだり、何らかの作業を阻害する毛髪を避けることがある。その際には、一般的には目立たない色の緊縛性且つ伸縮性の結束具、所謂ヘアゴムと称される結束具で毛髪を束ねる。しかしそのままではヘアゴムが直接見えてしまう為に、外観がきれいに見えない。それに対して、さらにおしゃれ感を増す為に、近年、シュシュと呼ばれる装飾具を使用することが増えている。【０００３】  シュシュと総称される装飾具は、一般的には、帯状あるいは筒状の布地をリング状として、さらにそのリング状の表面あるいは内部にループ状の弾性体（例えばヘアゴム）を一体として形成されている。このように構成されたシュシュは、次のように使用される。【０００４】  図１（Ａ）を参照して説明すると、先に述べたように、毛髪を所定の位置に一旦ヘアゴム１０などのリング状結束具で束ねる。その後、図１（Ｂ）に示すように、その上を覆うようにシュシュ２０などのリング状装飾具を巻き付けるように装着することで、ヘアゴム１０自身を隠蔽し、さらにシュシュ２０の装飾機能によって、まとめた髪を美しく整えることができることになる。【０００５】  最近ではこのシュシュの種類や機能も幅広くなり、高級な生地を使用したり、複雑な形状を持たせる縫製によって製作されるなどすることがある。このためにシュシュは高価な装飾具としても販売されている。【０００６】  この時、ヘアゴム自身は束ねた髪をしっかりと括り留め、拡がろうとする髪に対する収縮力で毛髪の束に対して所定の位置に留まり、これにより結束機能を発揮している。したがって、ヘアゴム自身は落下しづらいものである。
しかし、シュシュはこのヘアゴムに対しては、これを覆うという機能が主なものであり、またシュシュの主目的である装飾（例えば所定のボリューム感を出すなど）のために、それ自身が形状を崩すまで極端には縮まるようにされておらず、よってしっかりと髪の所定位置に括り付けられていない状態となることがある。さらにシュシュ自身が装飾目的としてサテンのような滑りやすい布で製造されていることも多くなっている。そのために歩行やランニングなどの軽微な動作でもシュシュのみが滑り、脱落して、束ねた毛髪部分から落下してしまうことが頻繁に発生してしまう可能性があった。また日本人に多いストレートヘアの場合には、なおさらシュシュが落ちやすい状態となってしまっている。
安価なシュシュは落下・紛失してもやむ無しとしてあきらめてしまうこともあるが、高価な場合には特に落下や紛失は避けることが望まれており、この解決が待たれている。【０００７】  これまで、このようなシュシュを所定の位置にしっかりと留めるには、ヘアピンでシュシュを髪につなぎ留めたりすることが考えられる。ヘアピンは軽量であり非常に手軽に使用することができるという利点を有している。しかし、ヘアピンで留めてしまうと、ヘアピン自身が直接見えてしまったり、またシュシュ自身をつまむように留める為にその形状が崩れてしまい美観を損ねるという問題が発生してしまう。【０００８】  また、シュシュ（毛髪を束ねる位置）は頭部の側部や、多くの場合には後方から頭頂部にかけての位置に付ける場合が多い。したがって、この位置にシュシュを固定するようにヘアピンを留めるには、後ろ手でヘアピンの位置決めをしなければならず、また後ろにあるシュシュの形状保持を同時に行わなければならない為に、取り付け作業が非常に困難であった。【０００９】  また例えば、帽子の落下紛失防止のためにベルト両端にクリップを備えた紛失防止器具などは従来あった。これはベルト両端のクリップの一方を帽子に取り付け、他方のクリップを洋服の襟などにつけることで、帽子が風などで飛ばされてしまっても、落下・紛失しないというものであった。これをシュシュの落下・紛失防止に使用することも可能であるが、後方にあるシュシュに対してクリップを取り付けることはやはり困難であり、またベルトや大きなクリップが露呈した状態で取り付けた姿は美観を損ねるという問題があった。また、その重量もそれなりにある為に、これは軽量なシュシュと対比してその重量が気になってしまったり、またこの重量の為に反対にシュシュがずれてしまう虞もある。【００１０】  同様の器具として、特許文献１にはヘアーバンドの両端にヘアピンを取り付けたものが開示されているが、こちらも帽子の紛失防止器具同様の問題点を潜在的に備えていた。
【先行技術文献】
【特許文献】
【００１１】
【特許文献１】  特開２００１−０８７０３０号公報
【発明の概要】
【発明が解決しようとする課題】
【００１２】  これまでの落下防止器具はそのままでは大きく重たいものとなってしまう。一方、小型なものとすることも考えられるが、その際にはクリップやヘアピンなどの留める部分も非常に小さいものとなってしまう為に、後ろ手での取り付けがさらに困難となると共に、取り付けた際の力が弱い為に、簡単に外れてしまう虞があり、この点について解決する必要があった。またこの様な器具の場合には、やはり美観を損なうという問題点が残ってしまい、これについても解決する必要があった。
【課題を解決するための手段】
【００１３】  本発明は上記の従来の問題点に鑑みなされたものであり、本発明者は上記問題について鋭意研究を行ったところ、（１）磁力により結合する２つの部材で構成した結合部及び連結部で落下防止具を形成することで、容易に且つ十分な力でシュシュの落下・紛失を防止できること、（２）結合部の少なくとも一方の部材を先細り形状に形成することで、頭髪を束ねるリング状結束具及びリング状装飾具の双方の内側を容易に通過できること、を新たに見出し本発明を完成するに至った。【００１４】  すなわち本発明は、後ろ手での取り付けが容易で、取り付け後も結合力が十分であるのでそれ自身簡単に外れることが無く、さらにはそれ自身の外観や取り付けによりシュシュなどの装飾具の美観を損ねることが無い装飾具の落下防止具を提供するものである。【００１５】  本発明の一局面による装飾具の落下防止具は、結合部及び連結部を含む落下防止具である。ここで、前記結合部は、結合可能な２つの部材で構成され、前記２つの部材の少なくとも一方の部材は磁石を含み、他方の部材は前記磁石と吸着結合可能な材料で形成され、且つ、前記２つの部材の少なくとも一方の部材は先細り形状に形成され、前記連結部は可動性であり、連結部の両端部は前記２つの部材のそれぞれに連結する。当該落下防止具は、前記先細り形状に形成された部材を、頭髪を束ねるリング状結束具及び頭髪と前記リング状結束具を覆い被るように装着されるリング状装飾具の双方の内側を通過させた後に、前記結合部の他方の部材に磁力により自動的に結合することで、前記リング状装飾具の落下を防止することができる。【００１６】  上記構成の本発明による落下防止具において、前記結合部の２つの部材がそれぞれ平面状の結合面を含み、前記先細り形状に形成され部材の前記結合面には雌型の凹部が形成され、他方の部材の結合面には雌型の凹部に嵌る雄型の凸部が形成されることで、２つの部材を結合する際の結合方向を特定し、且つ横方向へのズレによる脱着を防止することが可能となる。【００１７】  また他の局面においては、前記結合部の先細り形状に形成された部材が錐体で形成され、他方の部材が前記錐体を挿入できる形状の部材である。磁力に従って錐体が他方の部材に自動的に挿入して磁力により吸着して装着されることで、前記連結部と一体的に一連のリング形状を形成してもよい。【００１８】  更に、他の曲面としては、前記連結部の長さが、５ｃｍ以上１５ｃｍ以下の範囲であることが好ましく、前記先細り形状に形成された部材の最薄部分が、１ｍｍ以上３ｍｍ以下であることが好ましく、前記先細り形状に形成された部材と結合する他方の部材の結合面以外の部分に装飾がされていてもよい。
【発明の効果】
【００１９】  本発明により、シュシュなどの装飾具と結束具とを保持することができ、落下しやすいシュシュがずれたり滑ったりして落下しそうになったとしても、所定の位置にそれを留めておくことができる。またシュシュを後頭部や側頭部などの目視しづらい箇所に装着した際にも、本発明の落下防止具をその様な箇所で取り付ける際には、結合部が磁石によるものであるために容易にまた自動的に結合することができる。更に、結合部の少なくとも一方の部材は先細り形状に形成されているので、頭髪を束ねるリング状結束具及びリング状装飾具の双方の内側を、髪を束ねて硬くなった後でも容易に通すことができる。【００２０】  また、部材が平面状の結合面を含む場合、結合面に所定の形状を備えることで、結合時にその方向性を付与することができ、部材に方向を特定する必要のある装飾部材（例えばハート型や十字型などの装飾部材）を備える場合に、その方向性を目視しなくとも、結合面の所定形状を手で探ることで、また線状部である位置特定部によりその方向を所定にして装着することができる【００２１】  また、結合部が錐体と該錐体を挿入できる形状の部材で形成する場合には、連結部と一体的に細長い形状とすることができるために、結合部の違和感を少なくすることができる。【００２２】  また、連結部の長さを５ｃｍ以上１５ｃｍ以下にすることで落下防止具を装着後の外見もよく、先細り形状に形成された部材の最薄部分を１ｍｍ以上３ｍｍ以下とすることで、頭皮等を傷つけることなく頭髪を束ねた部分を通し易くなり、先細り形状に形成された部材と結合する他方の部材の結合面以外の部分に装飾をすることで、落下防止機能に加え装飾機能を提供できる。
【図面の簡単な説明】
【００２３】
【図１】  図１は従来のリング状装飾具の使用方法の一例を説明する図であり、図１（Ａ）は毛髪を後頭部で束ねた後にヘアゴム１０などのリング状結束具で束ねた状態を示す図であり、図１（Ｂ）は束ねたヘアゴムの上を被さるようにシュシュ２０などのリング状装飾具を装着した状態を示している。
【図２】  図２（Ａ）は本発明の第１実施態様による落下防止具１の一例を示す概略図、図２（Ｂ）は本発明の第２実施態様による落下防止具１の一例を示す概略図、図２（Ｃ）は落下防止具１の装着状態の装着部分の概略断面図である。
【図３】  図３は本発明の第１実施態様による落下防止具１の結合面２ｃに形成される凸部の正面図と上面図であり、それぞれ３（Ａ）はＹ字型の凸部、３（Ｂ）はＺ字型の凸部、３（Ｃ）は＋字型の凸部、また３（Ｄ）はＹ字型の凸部であり、さらに部材周面に突状の線状部を備える例を示す。また３（Ｅ）は三角柱状の凸部、３（Ｆ）は方形柱状の凸部、３（Ｇ）は楕円柱状の凸部、また３（Ｈ）は入れ子状の斜め凹部を片側に有する半円状の形状である。
【図４】  図４は本発明の第２実施態様による落下防止具１の円錐状の部材及び円筒状の部材の一例を示す部分断面図である。
【図５】  図５は本発明の第２実施態様による落下防止具１の変形例を示す部分断面図である。
【発明を実施するための形態】
【００２４】  以下、本発明を図面を参照して実施例により具体的に説明するが、本発明はこれには限定されない。また、図面は概略図であり、それぞれ実際の寸法、縮尺などでは表示されていないことを前提として参照されたい。
【００２５】  図２（Ａ）は本発明の第１実施態様による落下防止具１の一例を示す概略図である。当該落下防止具１は、平面状の結合面２ｃ、２ｄを含む２つの部材２ａ，２ｂで構成される結合部と、結合部の２つの部材２ａ，２ｂに両端で連結する連結部３とを含んでいる。ここで、部材２ａ，２ｂは少なくとも一方に磁石を備え、他方には当該磁石と吸着結合可能な材料を備えるか、当該材料で部材自身を構成することにより、部材２ａ，２ｂは磁力により結合可能となる。本発明においては、少なくとも一方の部材（図２（Ａ）では２ｂ、図２（Ｂ）では２ａ’）が先細り形状に形成されている。なお、本発明における「先細り形状」とは、頭髪を束ねるリング状結束具及びリング状装飾具の双方の内側を容易に通過できるように、部材の少なくとも一部に向かって幅が薄くなる形状を意味する。また、幅とは部材の同じ位置をノギスで挟んだ時の最も短い長さを意味する。例えば、円錐の場合は頂部に向かって先細り形状となり、幅は直径となる。また、図２（Ａ）の２ｂの部材の場合は、平面状の結合面２ｄの周囲が先細り形状となっており、幅は平面状の結合面２ｄと結合面２ｄの反対側の曲面の距離である。先細り形状の最薄部分は１ｍｍ以上、３ｍｍ以下が好ましい。１ｍｍ未満であると使用時に頭皮を傷つける可能性があるので好ましくない。また、３ｍｍより大きい場合にはリング状結束具で束ねて硬くなった髪束を通しにくくなるので好ましくない。
【００２６】  一方、図（２）Ｂは、本発明の第２実施態様による落下防止具１の一例を示す概略図である。先の第１実施態様と異なり、当該落下防止具１は２つの部材２ａ’，２ｂ’で構成された結合部をと、この２つの部材２ａ’，２ｂ’をその両端で連結する連結部３とからなる。ここで、２つの部材２ａ’，２ｂ’は、一方が円錐状の部材２ａ’であり、他方が円筒状の部材２ｂ’で構成され、この２つの部材２ａ’，２ｂ’の少なくとも一方に磁石を備え、他方には当該磁石と吸着可能な材料を備えるか、当該材料で部材自身を構成することにより、２つの部材２ａ’，２ｂ’が磁力により結合可能とされている。さらに、第２実施態様においては、部材２ａ’が円錐状となっているために、その細い先端部分２ｄ’（最薄部分）が３ｍｍ以下とされており、他方の部材２ｂ’の円筒内に挿入されるために結合がより容易になる。これについては、後で詳述する。
【００２７】  本発明の落下防止具１の使用方法を説明する。先ず、従来のとおり、図１（Ａ）に示すように頭髪を束ねる緊縛性かつ伸縮性のリング状結束具、例えばヘアゴム１０により所定位置の頭髪を束ねる。そして、図１（Ｂ）に示すように、さらに、頭髪と当該結束具（ヘアゴム）１０を覆い被るようにリング状装飾具、例えばシュシュと称して知られている装飾具２０を装着する。次に、図２（Ｃ）に示すように、髪を束ねるヘアゴム１０のリング部とそれに覆い被さるシュシュ２０のリング部との双方のリング部内側を、本発明の落下防止具１の先細り形状に形成された部材２ｂを通過させ、その後に前記２つの部材２ａ，２ｂを磁力により結合する。これにより、前記リング状装飾具２０がずれたり滑落してしまったりする場合にも、落下防止具１により装飾具２０が落下せずにぶら下がるあるいは引き上げられた状態で所定の位置に保持することが可能である。したがって、落下による装飾具（シュシュ）２０の紛失を防ぐことができる。特に高価なシュシュの場合には、紛失による損失が大きいため効果は大きい。
【００２８】  以下、本発明の第１及び第２実施態様による落下防止具１について、図２〜図３を参照して詳細に説明する。
先述の通り、前記部材２ａ，２ｂ（２ａ’，２ｂ’）は、２つで結合部を構成し、少なくとも一方に磁石を備え、他方には磁石と吸着可能な材料（磁石も含む）を備えるか当該材料により部材自身が構成されている。例えば、部材自身を磁石や強磁性材料で構成しても良いし、部材の外装をプラスチックなどで形成し、その内部に磁石や強磁性材料を配置しても良い。
【００２９】  本発明に使用される磁石は、２つの部材２ａ，２ｂ（２ａ’，２ｂ’）が結合可能であれば特に限定されず、一般的な永久磁石を用いることができるが、その吸着力から小型化が可能であるネオジウム磁石が好ましい。またその磁力は、相手の材料にもよるが、２つの部材が１ｃｍ程度の距離に近づいた時に自動的に吸引して双方が引き合って結合する程度の磁力が好ましい。この時、あまり強すぎると、結合を解除することが困難になってしまったり、結合時に指を挟んでしまう可能性がある為、好ましくない。一方弱すぎる場合には簡単に結合が解除されてしまい、シュシュ２０がそのまま落下してしまう虞があるために好ましくない。
【００３０】  先に述べたように、部材に使用する磁石は、そのまま所望の形状に成形しても良いが、汎用磁石を用いるとコストが下がる為に、そのような磁石をプラスチックや磁力透過性材料で覆うことで部材を構成してもよい。この場合には、その形状を自由に加工することが可能となり、好ましい。
【００３１】  結合部を構成する部材は雄型及び雌型の結合面２ｃ，２ｄ（図２（Ａ），図３参照）を備える平面状（第１実施態様）、あるいは入れ子型の円錐状（後述する第２実施態様、図２（Ｂ），図４，図５参照）を含む。これにより、後ろ手で当該落下防止具１を使用したとしても、この結合面２ｃ，２ｄや入れ子型の円錐形状に沿ってそれぞれの部材が嵌り合うことで、たとえ頭部後方での位置合わせと結合を行う場合であっても目視しなくとも容易に結合出来ることになる。また、それぞれが嵌り合うことで横方向にずれず、より外れにくくなる。
【００３２】  なお、部材の外周面は、図２（Ａ）や図３に例示のものは円形（円盤状）であるが、先細り形状になっていれば特に制限は無く、方形、多角形の外形を有する形状であってもよい。また図２（Ｂ）や図４に例示の円錐状の外形も、円錐のみに限定されず、多角錐状や円錐台状、多角形錐台状の錐体状の外形であっても良い。第２実施態様については後に詳述する。
【００３３】  平面状の結合面を含む部材２ａ，２ｂであって、雄型及び雌型の結合面２ｃ，２ｄを備える場合に、即ち、雄型の凸部と雌型の凹部を備える場合には、円形の凹凸表面形状の組合せでも横方向へのずれは阻止することができるが、好ましくは結合方向を特定できる形状が好ましい。図３にその好ましい例を示す。例えばＹ字型（図３（Ａ））、Ｚ字型（図３（Ｂ））、＋型（図３（Ｃ））、三角柱状（図３（Ｅ））、四角柱状（図３（Ｆ））、楕円柱状（図３（Ｇ））などが挙げられる。さらに好ましくは上下方向が特定しやすいＹ字型である。また、図３（Ｄ）に示すように部材の一部に外側に突出する線状部２ｅを設けることで上側を示してもよい。この場合、部材の外周面に設ける線状部２ｅは突状としたが、当然、溝状の線状部２ｅ（不図示）としてもよいことは自明である。また、図３においては部材の結合面２ｃに設けられる凸部のみを図示したが、結合面２ｄに設けられる凹部はこれに対応する形状であることが自明である為、図示は省略する。
【００３４】  また、図３（Ｈ）の結合面２ｃには半円部に分けられた部分がそれぞれ逆方向にその厚みを薄くして傾斜表面をそれぞれ備えた形状とする。これにより、他方の部材とそれぞれの対応する傾斜表面が合致することで結合位置が特定される。なお、この場合には半円状に限定されず、３つ以上の扇形の部分であってもよい。また当然ながら、外形は円形に限定されず、方形、多角形状であってもよい。
【００３５】  このような構成の部材２ａ，２ｂを採用する場合には、部材の当該結合面２ｃとは反対側に装飾部材を設けることができる。ここでいう装飾部材としては、例えばハート型や十字架型の装飾部材、即ち、上下方向を特定することで装飾効果が得られるような部材が好ましい。この場合には、上記Ｙ字型の雄雌型をそなえることで、その上下方向を特定した状態で落下防止具１を装着することができるために、シュシュ２０の装飾効果と相俟って、美観をさらに向上することが出来る。なお、この場合、固く縛っている結束具１０の内側に通しやすいことから、平面状の結合面を有する部材２ａ，２ｂの内、結合面２ｃに凸部を有する部材（例えば図２（Ａ）における２ａ）の凸部を設けた結合面２ｃとは反対側の面に装飾部材を設けることが好ましく、他方の結合面２ｄに凹部を有する部材（例えば図２（Ａ）における２ｂ）には装飾部材を設けないことが好ましい。これにより、本発明の落下防止具１の部材２ａ，２ｂの装着を行いやすくなる為、好ましい。
【００３６】  本発明の第１実施態様による落下防止具１においては、平面状の部材２ａ，２ｂの場合、その大きさは指で持つことができ、また後ろ手で作業しやすい大きさであれば特に限定されないが、その最薄部分が３ｍｍ以下であることが好ましい。これにより、きつく髪の毛を縛っている結束具１０のリング内側を容易に通過させることができる。
また、平面状の結合面を有する部材を平面視した場合の直径（円盤状の場合）あるいは最大寸法（円盤状以外の場合）は、約５ｍｍ〜約１５ｍｍである事が好ましい。小さすぎても、磁力により部材が結合する為、装着時に問題は生じないが、指でつまむことが必要な為にその程度の大きさは必要である。また小さすぎる場合には、装飾部材を取り付けることが困難であり、ある程度の大きさが必要となる。また反対に大きすぎる場合にはシュシュ２０より目立ってしまう事があり、好ましくない。
【００３７】  図２（Ａ）に示すように、上記の部材２ａ，２ｂの側部あるいは結合面２ｃ，２ｄとは反対側の面（この場合は図示せず）あるいは外周（結束具、髪束を通過させる先端とは反対側）には、これら部材２ａ，２ｂを連結する連結部３を備える。
連結部３はリング状の結束具１０とリング状の装飾具２０の双方を通過した状態で、部材２ａ，２ｂを結合できるように、可動性を有する。例えば、ゴムなどの弾性体、紙、布、金属、などが挙げられる。またその形状としては、紐状、鎖状などアクセサリーなどで一般的に使用可能なものが挙げられる。具体的には、伸縮性の装飾用ゴム、金属の様々なチェーン、装飾用のリボンなどが挙げられる。落下防止具１の装着時に結束具であるヘアゴム１０とシュシュ２０とを通すため、その際にヘアゴム１０やシュシュ２０とは抵抗が少ない材料が好ましい。このため、金属性のチェーンなどの連結部３が、滑りやすさ、その汎用性、美観、可動性などから特に好ましい。
【００３８】  本発明の第１実施態様においては、連結部３の長さは５ｃｍ以上、１５ｃｍ以下の範囲が好ましい。この範囲より短い場合にはリング状の結束具１０とリング状の装飾具２０の双方を通過して、さらに部材２ａ，２ｂを結合させることが困難になる。またたとえ通過後に部材２ａと２ｂとを結合することができたとしても、常に部材２ａ，２ｂに磁力とは反対の張力がかかる可能性があるために、簡単に外れてしまう虞が高くなる。一方、この範囲よりも長い場合には、リング状の結束具１０とリング状の装飾具２０の双方を通過した後に部材２ａと２ｂとを結合することは、自由度が高い分、作業はより容易にはなるが、装着後に余分な部分が垂れ下がった状態となる為に見栄えが良くない。また、シュシュ２０などが落下した際にもかなり下方までぶら下がる状態となる為に好ましくない。上記の範囲内であることで、装着後にはしっかりと結束具１０と装飾具２０とをまとめることができ、したがって連結部２ａ，２ｂもあまり目立たない状態となり、かつ、シュシュ２０などが落下した際にも、下までは落ちずに所定の高さを保って留まっていることになるため、好ましい。
【００３９】  なお、連結部３としては上記の長さであることが好ましいが、本発明は装着後に長さ調整可能とすることが可能な連結部３を除外しない。例えば、連結部３の部材２ａ，２ｂへの取り付け部分に連結部３の長さを調整可能な部材（例えば、連結部３をスライド可能（リリース機能）とし且つ留める（ストッパ機能）の二通りのモード機能を可能としたストッパ連結部材）を用いることができる。これにより、本発明による落下防止具１を装着した後に、連結部３をストッパ連結部材に対してスライドして長さを調整し、その後、ストッパ機能で留めるなどして、部材間の連結部３の長さを所定範囲まで短くする（絞る）場合も本発明の範囲に含まれる。これは、シュシュなどの装飾具２０大きさに合わせて、装着後に長さを調節することができるために、好ましい。
【００４０】  次に、図４を参照して本発明の第２実施態様による落下防止具１について説明する。
第２実施態様による落下防止具１は図２（Ｂ）に示した物であり、部材２ａ’，２ｂ’と、この部材２ａ’，２ｂ’をその両端に連結して結合する連結部３を備える。この部材２ａ’，２ｂ’としては、先に述べたように、一方の部材２ａ’は、円錐形状、多角錐形状、円錐台形状、多角形錐台形状などの錐体状の外形を備え、他方の部材２ｂ’は、その内部は一方の部材２ａ’の外形を挿入して受け入れるような形状を備え、その外形は円柱状、楕円柱状、多角柱状、多角湾曲柱状など適宜の形状をとりうる。この時、先細り形状に形成され部材２ａ’の最薄部分２ｄ’の幅Ｗが３ｍｍ以下である。最薄部分の幅（円錐形状などの先端幅）Ｗをこの範囲とすることにより、きつく髪の毛を縛っている結束具１０のリング内部を通過して、それに繋がる連結部３を通すことができる。また円錐形状などの先端の細長い突状とすることで、他方の部材２ｂ’の内側に磁力により自動的に挿入・結合することができ、その装着作業を容易に行うことができる。
【００４１】  ２つの部材２ａ’，２ｂ’の長さＬ（結合後の軸方向の寸法であり、図４に示すように部材２ｂ’のほぼ軸方向寸法で表される）は１ｃｍ以上２ｃｍ以下であることが好ましい。長さＬがこの範囲より短い場合には、作業性が悪くなり、且つ、きつく髪の毛を縛っている結束具１０のリング内部を通過させることが困難になる。一方、この範囲よりも長い場合には、ばらばらにした部材２ａ’，２ｂ’それぞれがその範囲よりも長い寸法を有することとなり、それに伴い、連結部３も長くしなければならず、全体として非常に大きな落下防止具１となってしまう。このために、連結時の作業性が悪化してしまう。また全体としてサイズが大きくなり、装着後に著しく目立つ存在となってしまう為、美的にも好ましくない。この範囲内の長さとすることで、連結部３から一体的に細長い結合部２が一連のリングを形成する為に、違和感なく、美しいものとなる。また、所定の長さを備える為に、結束具１０の内側への挿入性もよく、また通過性もよいことから、作業性が向上するため、好ましい。
【００４２】  連結部３については先に第１実施態様による落下防止具１について述べたものと同様あるいは類似の物を使用することができるため、詳細についてはここでは省略する。
連結部３の長さは、第２実施態様の場合には、部材２ａ’，２ｂ’自身が所定の長さを有していなければならない為に、好ましくは、５ｃｍ以上、１５ｃｍ以下の範囲が好ましく、より好ましくは７ｃｍ以上、１５ｃｍ以下の範囲である。この範囲より短い場合にはリング状の結束具１０とリング状の装飾具２０の双方を通過して、さらに部材２ａ’と２ｂ’を結合させることが困難になる。またたとえ通過後に部材２ａ’と２ｂ’とを結合することができたとしても、結合した部材２ａ’，２ｂ’が所定の長さを有する為に、可動性の連結部であったとしても棒状となっている部材の端部から極端に鋭角に曲がった状態で繋がっている状態となってしまい、好ましくない。一方、この範囲よりも長い場合には、リング状の結束具１０とリング状の装飾具２０の双方を通過した後に部材２ａと２ｂとを結合することは、自由度が高い分、作業性はより向上するが、装着後に余分な部分が垂れ下がった状態となる為に見栄えが良くない。また、シュシュ２０などが落下した際にもかなり下方までぶら下がる状態となる為に好ましくない。なお、図４に例示の結合部は構成する部材を理解しやすくする為に連結部３と比して拡大して図示しているが、この寸法は実際を反映していないことは理解されよう。
【００４３】  図５には本発明の第２実施態様の変形例を示す。この変形例においては、２つの部材２ａ’，２ｂ’の各前方部分は先の図４に示した第２実施形態における２つの部材２ａ’，２ｂ’と同様の形状、即ち円錐形状と円筒形状とをそれぞれ有して形成されている。先の例と異なる部分としては、本変形例においては、その部材２ａ’，２ｂ’を結合した際の全体の形状が円弧状を為す点である。円弧状とすることで、部材２ａ’の先端部分（最薄部分）２ｄ‘をヘアゴムの下に束ねた毛髪を通過させる際に、当該部分が自然に内から外に移動する為、通過しやすくなり好ましい。また部材２ａ’，２ｂ’が結合した場合に連結部３と合わせて全体が自然なリング状となる為に、束ねた結束具であるヘアゴム１０と装飾具であるシュシュ２０との双方をその曲線で自然に束ねることが可能となり、外観がきれいである。また部材２ａ’，２ｂ’が無理な方向を向かない為に、不要な張力が掛からず、結合状態を保つことができる。
【００４４】  なお、図示の変形例においてはその先端部分２ｄ’とそれに対応する筒部分は直線の軸上に設けられた突出部と筒部とで構成することが好ましい。それぞれを後方部分からの曲線外形に合わせた曲線の軸上に湾曲する突出部と筒部とから構成してもかまわないが、当該部分の加工の困難さや結合時の滑らかさなどから、直線上に延びる部分とすることが好ましい。
【実施例】
【００４５】  以下、本発明の第１実施態様による落下防止具１を実際に作成し、装着試験をおこなった。連結具３の長さが３ｃｍ（比較例１−１）、６ｃｍ（実施例１−１）、１０ｃｍ（実施例１−２）、２０ｃｍ（比較例１−２）の第１実施態様による落下防止具１を作成した。また部材２ａ，２ｂとしては図３（ｂ）のＹ字型の雄雌型をその結合面に備える物を作成した。なお、最薄部分は２ｍｍとした。【００４６】  装着時及び装着後の状態をそれぞれ観察した結果を示す。
装着時に比較例１−１は短すぎる為に、後ろ手で既に装着しているヘアゴム１０とシュシュ２０とを通すことが非常に困難であり、また部材２ａ，２ｂを上手く結合することができなかった。一方比較例１−２は後ろ手でヘアゴム１０とシュシュ２０とを通す作業は問題無く行うことが出来たが、装着後の後ろ姿で、落下防止具１がぶらぶらと垂れ下がった状態となってしまい、非常に見栄えが悪くなってしまった。【００４７】  一方、本発明の実施例１−１及び実施例１−２は、それぞれ後ろ手でヘアゴム１０とシュシュ２０とを通過して、その後に目視しなくとも部材２ａ，２ｂの結合が自動的に行われたため、非常に簡単に装着することができた。また装着後の後ろ姿は、落下防止具１は特にシュシュ２０を装着した美しい姿を損なうことが無い程度に存在していた。また、事前にＹ字型を後ろ手で確認することが容易であるので、装着時に上下を特定することが容易にできた。【００４８】  次に、本発明の第２実施態様による落下防止具１を実際に作成し、装着試験をおこなった。連結具３の長さが３ｃｍ（比較例２−１）、６ｃｍ（実施例２−１）、１０ｃｍ（実施例２−２）、２０ｃｍ（比較例２−２）の第２実施態様による落下防止具１を作成した。また部材２ｂ’の長さＬとしては２ｃｍのものを使用した。なお、最薄部分は１ｍｍとした。
一方、部材２ｂ’（２ａ’はそれに入る大きさ）の長さＬとして３ｃｍのもの（比較例２−３）、０．５ｃｍ（比較例２−４）の物を作成し、それぞれ６ｃｍの連結具３を繋いで試験した。【００４９】  装着時及び装着後の状態をそれぞれ観察した結果を示す。
２ｃｍの長さの部材２ａ’は、きつく装着しているヘアゴム１０とシュシュ２０とを通すことは非常に容易であったが、装着時に比較例２−１の連結具３は短すぎる為に、部材２ａ’，２ｂ’同士を結合（挿入）することが出来なかった。一方比較例２−２は容易に装着作業を行うことはできるが、装着後の後ろ姿で、落下防止具１がぶらぶらと垂れ下がった状態となってしまい、第１実施態様による落下防止具１の比較例同様、非常に見栄えが悪くなってしまった。【００５０】  一方、本発明の実施例２−１及び実施例２−２は、それぞれ後ろ手でヘアゴム１０とシュシュ２０とを通過して、その後に目視しなくとも部材２ａ’，２ｂ’の結合が自動的に行われたため、非常に簡単に装着することができた。また装着後の後ろ姿は、落下防止具１は特にシュシュ２０を装着した美しい姿を損なうことが無い程度に存在していた。また、事前にＹ字型を後ろ手で確認することが容易であるので、装着時に上下を特定することが容易にできた。
また、比較例２−３の場合には、比較例２−１同様に、部材が長すぎるために、連結部３の長さと相俟って、これを結合することが出来なかった。比較例２−４の部材２ａ‘はきつく装着しているヘアゴム１０とシュシュ２０とを通すことが非常に困難であり、後ろ手で行うことはほぼ不可能であった。【００５１】  次に、第２実施態様の部材２ａ’の最薄部分Ｗを４ｍｍとしたものを作成したが、きつく装着しているヘアゴム１０とシュシュ２０とを通すことが非常に困難であり、後ろ手で行うことはほぼ不可能であった。
【産業上の利用可能性】
【００５２】  本発明により、後ろ手での取り付けが容易で、取り付け後も結合力が十分であるのでそれ自身簡単に外れることが無く、さらにはそれ自身の外観や取り付けによりシュシュなどの装飾具の美観を損ねることが無い装飾具落下防止具を提供することができ、高価なシュシュなどの装飾具を紛失することを防止し、また落下しても美観を損ねない程度にするものであるため、非常に有用な物である。
【符号の説明】
【００５３】    １          落下防止具
２ａ，２ｂ，２ａ’，２ｂ’  部材
２ｃ        結合面
２ｄ        結合面
２ｅ        線状部
３          連結部
１０        リング状結束具（ヘアゴム）
２０        リング状装飾具（シュシュ）
Ｗ          最薄部分（円錐形状先端部の幅）
Ｌ          部材長さ（２ｂ’の軸方向長さ）
【図１】
2016209491.tif 000003
【図２】
2016209491.tif 000004
【図３】
2016209491.tif 000005
【図４】
2016209491.tif 000006
【図５】
2016209491.tif 000007